(57)【要約】【課題】ネットワーク上に、少なくとも１つの入力先となるＭＦＰ、少なくとも１つの出力先となるＭＦＰ、複数の操作手段となるコードレス子機、通信管理と通信処理を行う通信機器が、ＬＡＮ等のインタフェースで互いに接続されているシステムである。この場合、複数のコードレス子機のそれぞれを使用するユーザが異なる場合、コードレス子機を使用する各ユーザのプライバシーを守ることができる通信システムおよび通信システムにおける通信装置を提供することを目的とするものである。【解決手段】上記コードレス子機から通信管理レポートの出力要求があったときに、当該コードレス子機に関する通信管理レポートを、上記通信装置が、上記画像処理装置に出力要求する通信システムである。【選択図】図１
2007158501.tif 000002
【特許請求の範囲】
【請求項１】
コードレス電話機能とファクシミリ通信機能とを具備する通信装置と、スキャナ機能、プリンタ機能のうちの少なくとも一方を具備する少なくとも１つの画像処理装置と、無線接続によって上記通信装置との間で制御信号と音声信号とを送受信する複数のコードレス子機と、上記通信装置と上記画像処理装置とを接続するネットワークとを有する通信システムにおいて、
上記通信装置は、上記コードレス子機から通信管理レポートの出力要求があったときに、当該コードレス子機に関する通信管理レポートを、上記画像処理装置に出力要求することを特徴とする通信システム。
【請求項２】
請求項１において、
上記通信装置は、上記コードレス子機から画像処理装置の指定があった場合、当該コードレス子機と当該画像処理装置に関する通信管理レポートを、上記画像処理装置に出力要求することを特徴とする通信システム。
【請求項３】
請求項１又は請求項２において、
上記通信装置は、上記コードレス子機から画像処理装置の出力先指定があった場合、該通信管理情報を、上記出力先画像処理装置に出力要求することを特徴とする通信システム。
【請求項４】
スキャナ機能、プリンタ機能のうちの少なくとも一方を具備する少なくとも１つの画像処理装置とネットワークを介して接続され、無線接続によって制御信号と音声信号とを送受信する複数のコードレス子機と接続され、コードレス電話機能とファクシミリ通信機能とを具備する通信装置において、
上記コードレス子機から通信管理レポートの出力要求を受信する出力要求受信手段と；
上記通信管理レポートの出力要求を受信したときに、当該コードレス子機に関する通信管理レポートのみを、上記画像処理装置に出力要求する通信管理レポート出力要求手段と；
を有することを特徴とする通信システムにおける通信装置。
【請求項５】
請求項４において、
上記通信管理レポート出力要求手段は、上記コードレス子機から画像処理装置の指定があった場合、当該コードレス子機と当該画像処理装置に関する通信管理レポートを、上記画像処理装置に出力要求する手段であることを特徴とする通信装置。
【請求項６】
請求項４又は請求項５において、
上記通信管理レポート出力要求手段は、上記コードレス子機から画像処理装置の出力先指定があった場合、該通信管理情報を、上記出力先画像処理装置に出力要求する手段であることを特徴とする通信装置。
【請求項７】
スキャナ機能、プリンタ機能のうちの少なくとも一方を具備する少なくとも１つの画像処理装置とネットワークを介して接続され、無線接続によって制御信号と音声信号とを送受信する複数のコードレス子機と接続され、コードレス電話機能とファクシミリ通信機能とを具備する通信装置を制御するプログラムにおいて、
上記コードレス子機から通信管理レポートの出力要求を受信する出力要求受信手順と；
上記通信管理レポートの出力要求を受信したときに、当該コードレス子機に関する通信管理レポートのみを、上記画像処理装置に出力要求する通信管理レポート出力要求手順と；
をコンピュータに実行させるプログラム。
【請求項８】
コードレス電話機能とファクシミリ通信機能とを具備する通信装置と、スキャナ機能、プリンタ機能のうちの少なくとも一方を具備する複数の画像処理装置と、無線接続によって上記通信装置との間で制御信号と音声信号とを送受信する少なくとも１つのコードレス子機と、上記通信装置と上記画像処理装置とを接続するネットワークとを有する通信システムにおいて、
上記通信装置は、通信管理レポートを出力する画像処理装置を指定する画像処理装置指定手段を有する装置であることを特徴とする通信システム。
【請求項９】
スキャナ機能、プリンタ機能のうちの少なくとも一方を具備する複数の画像処理装置とネットワークを介して接続され、無線接続によって制御信号と音声信号とを送受信する少なくとも１つのコードレス子機と接続され、コードレス電話機能とファクシミリ通信機能とを具備する通信装置において、
通信管理レポートを出力する画像処理装置を指定する画像処理装置指定手段を有することを特徴とする通信装置。
【請求項１０】
スキャナ機能、プリンタ機能のうちの少なくとも一方を具備する複数の画像処理装置とネットワークを介して接続され、無線接続によって制御信号と音声信号とを送受信する少なくとも１つのコードレス子機と接続され、コードレス電話機能とファクシミリ通信機能とを具備する通信装置を制御するプログラムにおいて、
通信管理レポートを出力する画像処理装置を指定する画像処理装置指定手順をコンピュータに実行させるプログラム。
【発明の詳細な説明】
【技術分野】
【０００１】
本発明は、ネットワークで接続された複数のコードレス電話装置と少なくとも１つの画像処理装置とによって構成されている通信システムにおいて、通信履歴を出力する通信システムおよび通信システムにおける通信装置に関する。
【背景技術】
【０００２】
従来のＦＡＸ機能付き電話は、コードレス子機等の電話としての機能が充実している反面、プリンタ機能、スキャナ機能等の性能が劣る。一方、ＰＣの周辺機器である複合機（以下、「ＭＦＰ」という）は、ＦＡＸ、スキャナ、プリンタが一台になった装置であるが、スキャナ、プリンタ機能が充実している反面、ＦＡＸ等の電話機能は、ＦＡＸ機能付き電話よりも劣る。このために、上記全ての機能を満足させるためには、重複した機能を持つにもかかわらず、ユーザは、両者を購入する必要があるという問題がある。なお、上記「ＭＦＰ」は、Ｍｕｌｔｉ  Ｆｕｎｃｔｉｏｎ  Ｐｅｒｉｐｈｅｒａｌである。
【０００３】
上記問題を解決するためには、ＦＡＸを含めた通信機能のみを実行する端末と、画像のスキャン、プリント機能のみを実行する端末とを用意し、これらを、ＬＡＮを含めた各インタフェースで接続する。そして、後者から入力されたデータを使用して、前者がＦＡＸ機能を実行するというシステムが要望される。
【０００４】
また、一方で通信回線に接続されている１台のファクシミリ装置に、ＬＡＮ等の各インタフェースによって、接続されているＰＣ、ワークステーションが複数台存在するシステムについて提案されている。この場合、各ＰＣ、ワークステーションによって指示された通信履歴を、その端末ごとに出力するための手段が提案されている（たとえば、特許文献１参照）。
【０００５】
つまり、１台のファクシミリ装置に、複数のＰＣやワークステーションが繋がり、これらのＰＣ等から、ファクシミリ装置を介して、通信した場合、従来のような通信管理レポートの出力方法では、どのＰＣから送信指示等が出たのかわからない。そこで、特許文献１記載の手段は、ＰＣ（端末）毎に、通信管理情報がわかるように管理し、出力できるようにしたものである。
【特許文献１】特開平７−１１５５３１号公報
【発明の開示】
【発明が解決しようとする課題】
【０００６】
上記従来例では、通信管理を行っている手段と、通信履歴のレポート（以下、「通信管理レポート」という）を出力している手段とが、同一のファクシミリ装置である。そして、現在のネットワークに複数の操作手段、入力先、出力先が設定されている状況に対応していないという問題がある。
【０００７】
また、複数のコードレス子機による操作が可能な通信手段に、通信手段を持たない少なくとも１つのＭＦＰが、ＬＡＮ等のインタフェースで互いに接続されたシステムにおいては、次のことが望まれる。つまり、特定のＭＦＰから入力された通信の履歴、特定のコードレス子機に関連する通信の履歴、特定のＭＦＰか出力された通信の履歴等、ユーザが望む通信履歴が記述された通信管理レポートを、ユーザが望むＭＦＰでの出力が望まれる。
【０００８】
つまり、複数のコードレス子機のそれぞれを使用するユーザが異なる場合、各ユーザのプライバシーに配慮する必要がある。
【０００９】
本発明は、ネットワーク上に、少なくとも１つの入力先となるＭＦＰ、少なくとも１つの出力先となるＭＦＰ、複数の操作手段となるコードレス子機、通信管理と通信処理を行う通信機器が、ＬＡＮ等のインタフェースで互いに接続されているシステムである。この場合、複数のコードレス子機のそれぞれを使用するユーザが異なる場合、コードレス子機を使用する各ユーザのプライバシーを守ることができる通信システムおよび通信システムにおける通信装置を提供することを目的とするものである。
【００１０】
また、本発明は、ネットワーク上に、少なくとも１つの入力先として設定される画像処理装置、スキャナ、少なくとも１つの出力先として設定される画像処理装置、プリンタ、複数の操作手段として設定されるコードレス子機を有する。また、本発明は、通信管理と通信処理とを行う通信機器を有する。これらが、ＬＡＮ等のインタフェースで、互いに接続されているシステムである。この場合、画像処理装置が持つ形式の通信管理レポートを作成することができ、また、複数の画像処理装置が接続されている場合、画像処理装置のそれぞれに処理を分散できるようにする。これによって、１台で全て実行する場合よりもそれぞれの負荷が少なくなり、通信システム全体の効率が上がるようにする。
【００１１】
さらに、本発明は、通信管理レポートをプリントすることを指定された画像通信装置が故障等している場合でも、通信管理レポートを確実にプリントすることができる通信システムおよび通信システムにおける通信装置を提供することを目的とする。
【課題を解決するための手段】
【００１２】
本発明は、コードレス電話機能とファクシミリ通信機能とを具備する通信装置と、スキャナ機能、プリンタ機能のうちの少なくとも一方を具備する少なくとも１つの画像処理装置と、無線接続によって上記通信装置との間で制御信号と音声信号とを送受信する複数のコードレス子機と、上記通信装置と上記画像処理装置とを接続するネットワークとを有する通信システムにおいて、上記通信装置は、上記コードレス子機から通信管理レポートの出力要求があったときに、当該コードレス子機に関する通信管理レポートを、上記画像処理装置に出力要求することを特徴とする通信システムである。
【発明の効果】
【００１３】
請求項１、４、７記載の発明は、ネットワーク上に、少なくとも１つの入力先となるＭＦＰ、少なくとも１つの出力先となるＭＦＰ、複数の操作手段となるコードレス子機、通信管理と通信処理を行う通信機器が、互いに接続されているシステムである。この場合、ＬＡＮ等のインタフェースで互いに接続されている。このシステムにおいて、複数のコードレス子機のそれぞれを使用するユーザが異なる場合、コードレス子機を使用する各ユーザのプライバシーを守ることができるという効果を奏する。
【００１４】
請求項８、９、１０記載の発明は、コードレス電話機能とファクシミリ通信機能とを具備する通信装置と、スキャナ機能、プリンタ機能のうちの少なくとも一方を具備する複数の画像処理装置とを有する。また、無線接続によって上記通信装置との間で制御信号と音声信号とを送受信するコードレス子機と、上記通信装置と上記画像処理装置とを接続するネットワークとを有する通信システムである。このシステムにおいて、通信管理レポートをプリントすることを指定されている画像処理装置に、上記通信管理レポートをプリントさせる。したがって、その画像処理装置が持つ形式の通信管理レポートを作成することができるという効果を奏する。また、複数の画像処理装置のそれぞれに処理を分散できるので、１台で全て実行する場合よりもそれぞれの負荷が少なくなり、通信システム全体の効率が上がるという効果を奏する。
【発明を実施するための最良の形態】
【００１５】
発明を実施するための最良の形態は、次の実施例である。
【実施例１】
【００１６】
図１は、本発明の実施例１である通信システムＣＳ１を示すブロック図である。
【００１７】
通信システムＣＳ１は、通信ＢＯＸ１００と、コードレス子機２００（２００−１、２００−２）と、ＭＦＰ３００（３００−１、３００−２）と、ＤＨＣＰ機能を有するネットワークルータ４００とを有する。また、一般的なＰＣ（パーソナルコンピュータ）５００と、ネットワークケーブル６００とを有する。
【００１８】
通信ＢＯＸ１００は、通信装置の一例である。
【００１９】
コードレス子機２００は、無線によって通信ＢＯＸ１００と接続されている。
【００２０】
ＭＦＰ３００は、画像処理装置の一例である。実施例１において、ＭＦＰ３００は、ネットワーク６００に複数接続可能であり、実施例１では、２台のＭＦＰ３００−１、３００−２が設けられているが、３台以上のＭＦＰを接続するようにしてもよく、また、ＭＦＰを１台のみ接続するようにしてもよい。
【００２１】
ネットワークケーブル６００は、ＩＥＥＥ８０２．３で規定されているようなネットワークで各々接続されている。また、ネットワークケーブル６００は、ＩＥＥＥ８０２．１１ａ／ｂ／ｇで規定されているような無線ネットワークで接続されていてもよい。
【００２２】
図２は、実施例１における通信ＢＯＸ１００を示すブロック図である。
【００２３】
通信ＢＯＸ１００は、コードレス子機２００とのやり取りを行う無線インタフェース、ファクシミリ通信やコードレス子機２００による通話を行うための公衆回線網７００とのインタフェースを有する。また、通信ＢＯＸ１００は、ネットワークによって接続されたＰＣ５００やＭＦＰ３００との間で、通信するためのインタフェースを備えている。
【００２４】
通信ＢＯＸ１００は、制御部１０１と、ＲＯＭ１０２と、ＲＡＭ１０３と、バッファメモリ１０４と、符号復号化部１０５と、通信制御部１０６と、モデム１０７と、クロスポイントスイッチ部１０８と、無線制御部１０９とを有する。また、通信ＢＯＸ１００は、ネットワーク制御部１１０と、システムバス１１１と、電話帳メモリ１１３と、ＷＥＢページメモリ１１４とを有する。
【００２５】
制御部１０１は、ＲＯＭ１０２に記憶されているプログラムに従って、通信ＢＯＸ１００の全体を制御する。
【００２６】
ＲＯＭ１０２は、制御部１０１の制御プログラムや、オペレーティングシステム（ＯＳ）プログラム等が格納され、制御部１０１は、ここに格納されている制御プログラムに従って、通信ＢＯＸ１００の動作を制御する。実施例１では、ＲＯＭ１０２に格納されている各制御プログラムは、ＲＯＭ１０２に格納されているＯＳプログラムの管理下で、スケジューリングやタスク切り替え等のソフトウエア制御を実行する。
【００２７】
ＲＡＭ１０３は、演算処理や、オペレータが登録した設定値や装置の管理データ等の記憶、通信ＢＯＸ１００をネットワークルータに接続したときに取得するアドレスの記憶に使用される。また、ＲＡＭ１０３は、ネットワークに接続されているＭＦＰ３００のアドレスの記憶、ＦＡＸ受信した際に、自動出力する設定になっている場合における出力先となるＭＦＰ３００の設定情報の保存等に使用される。
【００２８】
バッファメモリ１０４は、ネットワークを通じて送られてくる画像データやデータパケットの蓄積、公衆回線７００を介して送受信されるファクシミリ画像データの蓄積を行う。また、バッファメモリ１０４は、コードレス子機２００からファクシミリ送信指示を受けたときに、同時にコードレス子機２００から送られてきた相手先ダイヤル番号情報の蓄積を行う。
【００２９】
符号復号化部１０５は、動作モードに応じて、ＭＦＰ３００から受信した画像データ、または公衆回線７００から受信した画像データを、ＭＨ、ＭＲ、ＪＢＩＧ、ＪＰＥＧ等の圧縮伸張する符号復号化処理を行うものである。
【００３０】
通信制御部１０６は、公衆回線７００と通信ＢＯＸ１００とを接続するインタフェースであり、局交換機からの呼出信号を検出するリンガ検出回路、ダイヤル生成回路、２線−４線変換を行うためのトランス回路等で構成されている。また、コードレス子機２００による通話の音声信号やファクシミリ通信の変調信号は、通信制御部１０６を通じて公衆回線７００との間で送受信される。
【００３１】
モデム１０７は、デジタルデータをファクシミリ通信のために変復調するものである。
【００３２】
クロスポイントスイッチ部１０８は、制御部１０１からの制御によって、通信制御部１０６を介して送受信されるアナログ信号を、動作モードに応じて、モデム１０７と、無線制御部１０９との間で切り替える。
【００３３】
無線制御部１０９は、ＲＦモジュールを含み、無線によって接続されたコードレス子機２００との間で通信を行うために、制御データと音声信号とを変調し、無線送信可能な形式に変換し、アンテナ１１２に送る。また、アンテナ１１２から無線受信した信号を復調し、制御データを制御部１０１に出力し、アナログ信号（音声信号）をクロスポイントスイッチ部１０８に出力する。コードレス子機２００が使用されると、通信ＢＯＸ１００とコードレス子機２００とが無線によって接続され、音声パスが形成される。
【００３４】
ネットワーク制御部１１０は、ＩＥＥＥ８０２．３等によって規定されたネットワークでの通信制御を行う。また、ネットワーク制御部１１０は、ネットワークに接続され、ＴＣＰ／ＩＰ等の規格に沿ってプロトコル制御を行い、ＭＦＰ３００からのデータパケットの受信と、ＭＦＰ３００へのデータパケットの送信とを行う。
【００３５】
ネットワーク制御部１１０は、データパケットを受信すると、データパケットを受信したことを制御部１０１に通知する。
【００３６】
電話帳メモリ１１３は、コードレス子機２００毎に登録されている通信相手先名称、電話番号、ＦＡＸ番号等を記憶する。
【００３７】
システムバス１１１は、制御部１０１と各ブロックとを接続するシステムバスである。
【００３８】
ＷＥＢページメモリ１１４は、コードレス子機２００の表示部に表示するメモリであり、ＨＴＭＬ形式で記述された各種設定メニュー画面を記憶する。
【００３９】
ネットワークケーブル６００は、通信ＢＯＸ１００と、ＭＦＰ３００と、ＰＣ５００とネットワークルータ４００とを互いに接続する。
【００４０】
公衆回線７００は、これを通じて電話の通話やファクシミリ通信を行う。
【００４１】
なお、無線制御部１０９は、コードレス子機から通信管理レポートの出力要求を受信する出力要求受信手段の例である。また、ネットワーク制御部１１０は、上記通信管理レポートの出力要求を受信したときに、当該コードレス子機に関する通信管理レポートを、ＭＦＰ３００に出力要求する通信管理レポート出力手段の例でもある。
【００４２】
また、上記通信管理レポート出力手段は、当該コードレス子機が通信した通信先と、指定したＭＦＰ３００に関する通信管理レポートを、ＭＦＰ３００に出力要求する手段である。
【００４３】
図３は、実施例１におけるコードレス子機２００を示すブロック図である。
【００４４】
コードレス子機２００は、制御部２０１と、ＲＯＭ２０２と、ＲＡＭ２０３と、ベースバンド部２０４と、無線部２０５と、アンテナ２０６と、表示部２０７とを有する。また、コードレス子機２００は、操作部２０８と、スピーカ２０９と、レシーバ２１０と、マイク２１１と、ＥＥＰＲＯＭ２１２と、システムバス２１３とを有する。
【００４５】
制御部２０１は、コードレス子機２００の全体の制御を行う。
【００４６】
ＲＯＭ２０２は、制御部２０１の制御プログラムやオペレーティングシステム（ＯＳ）プログラム等を格納し、制御部２０１は、ここに格納されている制御プログラムに従って、通信ＢＯＸ１００の動作を制御する。
【００４７】
コードレス子機２００を区別するコードレス子機ＩＤもここに保存される。
【００４８】
ＲＡＭ２０３は、演算処理や表示部２０７に表示する画像データを格納し、通信ＢＯＸ１００から受信した電話帳データ等を記憶する。
【００４９】
操作部２０８は、ダイヤル番号等を入力するダイヤルキーや、通話キー、送信キー、電話帳キー等の機能キーによって構成されている。
【００５０】
表示部２０７は、操作部２０８の操作に従って、各種設定画面や入力されたダイヤル番号、通信ＢＯＸ１００の動作状況等を表示する。
【００５１】
ベースバンド部２０４は、モデム・コンパンダ、秘話・アンプ機能を有し、制御データおよび音声信号を伝送効率のよい形式に変復調する。ベースバンド部２０４からの変調信号を、無線部２０５を介して、通信ＢＯＸ１００に伝送する。また無線部２０５からの変調信号を復調し、制御信号は、制御部２０１に出力し、音声信号をスピーカ２０９へ出力する。
【００５２】
無線部２０５は、ベースバンド部２０４からの変調信号を、無線送信可能な形式に変換し、アンテナ２０６に送るとともに、アンテナ２０６から無線受信した信号から、変調信号を取り出し、ベースバンド部２０４に出力する。
【００５３】
マイク２１１は、通話音声信号を入力する。スピーカ２０９は、音声信号を拡声出力し、また着信音等を鳴動させる。レシーバ２１０は、通話音声信号を出力する。
【００５４】
ＥＥＰＲＯＭ２１２は、コードレス子機２００と通信ＢＯＸ１００との間の無線通信を確立するためのシステムの呼出符号（システムＩＤ）、コードレス子機２００のコードレス子機番号ＩＤ等を記憶する不揮発性のメモリの例である。
【００５５】
システムバス２１３は、制御部２０１と上記各ブロックとを接続する。
【００５６】
図４は、実施例１におけるＭＦＰ３００を示すブロック図である。
【００５７】
ＭＦＰ３００は、画像読取部と画像記録部とを有し、読み取った画像データをネットワークに出力し、ネットワークから受信した画像データを、上記記録部が記録し、または、上記読取部が読み取った画像データを、上記記録部が記録するものである。
【００５８】
ＭＦＰ３００は、制御部３０１と、ＲＯＭ３０２と、ＲＡＭ３０３と、バッファメモリ３０４と、操作部３０５と、読取処理部３０６と、読取部３０７と、記録処理部３０８と、記録部３０９と、表示部３１０とを有する。また、ＭＦＰ３００は、符号復号化処理部３１１と、ネットワーク制御部３１２と、システムバス３２３とを有する。
【００５９】
制御部３０１は、システム制御部であり、ＭＦＰ３００の全体を制御する。
【００６０】
ＲＯＭ３０２は、制御部３０１の制御プログラムやオペレーティングシステム（ＯＳ）プログラム等を格納し、格納された制御プログラムに従って端末装置の動作を制御する。実施例１では、ＲＯＭ３０２に格納されている各制御プログラムは、ＲＯＭ３０２に格納されているＯＳプログラムの管理下で、スケジューリングやタスク切り替え等のソフトウエア制御が行われる。また、各ＭＦＰ３００を区別するために、ＭＦＰのＩＤもここに保存される。
【００６１】
ＲＡＭ３０３は、演算処理や、オペレータが登録した設定値や装置の管理データ等の記憶、さらにはＭＦＰ３００をネットワークルータに接続した時に取得するアドレスの記憶等に使用される。
【００６２】
バッファメモリ３０４は、読み取った画像データや受信した画像データを蓄積し、また、ネットワークを介して送受信されるデータパケットの蓄積等を行うものである。
【００６３】
操作部３０５は、各種入力キーで構成され、オペレータによる各種入力操作を行うものである。
【００６４】
表示部３１０は、ＬＥＤ、ＬＣＤ等で構成され、読み取りモードを設定するための表示や、各種設定のための表示、ＭＦＰ３００の動作状況の表示等を行うものである。
【００６５】
読取処理部３０６は、読取部３０７において光電変換素子によって原稿を光学的に読み取り、電気的な画像データに変換した画像信号を、２値化処理、中間調処理等の各種画像処理を施し、高精細な画像データを出力するものである。
【００６６】
読取処理部３０６は、ＲＯＭ３０２に格納されている制御プログラムのスキャン制御タスクプログラムによって制御される。読取部３０７は、ＣＣＤやコンタクトイメージセンサ等の光電変換素子によって構成されている。
【００６７】
記録処理部３０８は、記録部３０９が画像データを記録するために、記録画像データに、解像度変換処理やスムージング処理を行う。また、記録処理部３０８は、記録部３０９に紙無し、紙ジャム、トナー（またはインク）切れ等の障害が発生したときに、記録部３０９から障害情報を受け取り、制御部３０１に通知する。さらに、記録処理部３０８は、ＲＯＭ３０２に格納されている制御プログラムのプリンタ制御タスクプログラムによって制御される。
【００６８】
記録部３０９は、レーザビームプリンタやインクジェットプリンタ等で構成され、記録紙検知手段、トナー（またはインク）検知手段、ジャム検知手段を有している。
【００６９】
符号復号化処理部３１１は、動作モードに応じて、画像データを、ＭＨ、ＭＲ、ＪＢＩＧ、ＪＰＥＧ等の圧縮伸張する符号復号化処理を行うものである。
【００７０】
ネットワーク制御部３１２は、ＩＥＥＥ８０２．３等によって規定されたネットワークでの通信制御を行う。ネットワーク制御部３１２は、ネットワークに接続され、ＴＣＰ／ＩＰ等の規格に沿ってプロトコル制御を行い、ＭＦＰ３００が取得したアドレスを宛先にしたデータパケットの受信と、ＭＦＰ３００からのデータパケットの送信とを行う。ネットワーク制御部３１２は、データパケットを受信すると、データパケットを受信したことを制御部３０１に通知する。
【００７１】
システムバス３２３は、制御部３０１と各ブロックとを接続するシステムバスである。
【００７２】
図５は、コードレス子機２００の外観を示す図である。
【００７３】
コードレス子機２００は、操作部２０８と表示部２０７とを有する。
【００７４】
操作部２０８は、ダイヤル番号等を入力するためのダイヤルキーや、通話キー、送信キー、電話帳キー等の機能キーから構成されている。表示部２０７は、入力されたダイヤル番号等を表示する。通信管理レポートを出力指示する場合、機能キーによって、通信管理レポート出力モードメニューが呼び出され、そこで各設定が行われる。
【００７５】
次に、実施例における通信管理の動作について説明する。
【００７６】
図６〜図８は、実施例１において、ファクシミリ送信、受信時、コードレス子機２００による通話時における各装置の動作を示すフローチャートである。
【００７７】
まず、ファクシミリ送信する場合、ユーザは、ＭＦＰ３００の読取部３０７の図示しない原稿台に送信原稿をセットし、コードレス子機２００の操作部２０８に設けられているダイヤルキーによって、送信相手先の番号を入力する（Ｓ１）。送信キーを押下すると（Ｓ２）、コードレス子機２００は、入力された相手先番号情報と、ファクシミリ送信指示情報と、自身が保存するコードレス子機ＩＤとを、通信ＢＯＸ１００に送信する（Ｓ３）。
【００７８】
通信ＢＯＸ１００は、相手先番号情報とともにファクシミリ送信指示情報を受信すると（Ｓ１１〜Ｓ１２）、相手先番号情報を、バッファメモリ１０４に一旦、記憶し（Ｓ１３）、ＭＦＰ３００のＩＤを保存する（Ｓ１５）。ネットワーク制御部３１２を通じて、読み取り開始命令を、ＭＦＰ３００に送信する（Ｓ１６）。この際、通信ＢＯＸ１００は、上記情報の送信先であるコードレス子機２００が持つコードレス子機ＩＤを、相手先番号情報と関連付けて保存する（Ｓ１４）。
【００７９】
ＭＦＰ３００は、通信ＢＯＸ１００から送られた読み取り開始命令を、ネットワーク制御部３１２が受信すると、原稿の読み取りを行い、読み取った画像データを、バッファメモリ３０４に順次、蓄積する。そして、バッファメモリ３０４に蓄積した画像データを、ネットワーク制御部３１２を介して、通信ＢＯＸ１００に送る。これを原稿の読み取り終了まで繰り返す。
【００８０】
通信ＢＯＸ１００は、ＭＦＰ３００が送信した画像データを受信すると（Ｓ１７）、バッファメモリ１０４に順次、蓄積する。そして受信したデータを一旦バッファメモリ１０４に記憶した後に、順次、符号復号化部１０５に転送し、画像データの符号化を行い（Ｓ１８）、バッファメモリ１０４に再度蓄積する。
【００８１】
同時に、制御部１０１は、クロスポイントスイッチ部１０８を、モデム１０７側に切り替え（Ｓ１９）、バッファメモリ１０４に一時記憶した相手先番号情報を読み出し（Ｓ２０）、通信制御部１０６が、公衆回線７００に発呼する（Ｓ２１）。相手側ファクシミリ装置が応答すると、バッファメモリ１０４に蓄積した画像データを、モデム１０７が変調し、ＩＴＵ−ＴのＴ．３０勧告で標準化されたファクシミリ通信手順に則って相手先に送信する（Ｓ２２）。画像データの送信を全て終了すると（Ｓ２３）、通信ＢＯＸ１００は、公衆回線７００との接続を切断する（Ｓ２４）。そして、通信結果、通信日時、通信に要した時間を、上記コードレス子機ＩＤ、ＭＦＰのＩＤ、相手先番号情報と関連つけて保存し、待機状態に戻る（Ｓ２５）。
【００８２】
次に、実施例１における通話（発信）の動作について説明する。
【００８３】
通話（発信）の場合、コードレス子機２００の操作部２０８に設けられているダイヤルキーによって、相手先の番号を入力し（Ｓ１）、通話キーを押下する（Ｓ４）。通話キーが押下されると、コードレス子機２００は、入力された相手先番号情報と、発呼指示情報と、自身が保存するコードレス子機ＩＤとを、通信ＢＯＸ１００に送信する（Ｓ５）。
【００８４】
通信ＢＯＸ１００は、相手先番号情報とともに発呼指示情報を受信すると（Ｓ１１〜Ｓ１２）、制御部１０１は、クロスポイントスイッチ部１０８を、無線制御部１０９側に切り替える（Ｓ２６）。そして、コードレス子機２００から受信した相手先番号を、通信制御部１０６が発呼する（Ｓ２９）。この際、通信ＢＯＸ１００は、上記情報の送信先であるコードレス子機２００が持つコードレスＩＤと相手先番号情報とを関連付けて保存する（Ｓ２７〜Ｓ２８）。相手先が応答すると、クロスポイントスイッチ部１０８と無線制御部１０９とを介して、コードレス子機２００による通話が可能になる（Ｓ３０、Ｓ６）。
【００８５】
通話が終了し、コードレス子機２００の切キーが押下されると（Ｓ７）、コードレス子機２００から通信ＢＯＸ１００に、切断指示情報を送信する（Ｓ８）。通信ＢＯＸ１００は、コードレス子機２００から切断指示情報を受信すると（Ｓ３１）、公衆回線７００との接続を切断する（Ｓ３２）。そして、通信結果、通信日時、通信に要した時間を、上記コードレス子機ＩＤ、相手先番号情報に関連つけて保存し、待機状態に戻る（Ｓ３３）。
【００８６】
次に、実施例１におけるファクシミリ受信の動作について説明する。
【００８７】
公衆回線７００からＦＡＸ受信が要求されると（Ｓ４１〜Ｓ４２）、通信ＢＯＸ１００は、ＩＴＵ−ＴのＴ．３０勧告で標準化されたファクシミリ通信手順に則って画像データを受信する（Ｓ４３）。この画像データは、順次、バッファメモリ１０４に蓄積され、受信が完了したら、回線を切断する（Ｓ４３）。蓄積された画像データは、順次、符号復号化部１０５に転送され、画像データの復号化処理後に、再度、バッファメモリ１０４へ保存される（Ｓ４５）。回線切断時、通信結果、通信日時、通信に要した時間も保存し、相手先番号が認識可能な場合は、それも関連付けて保存する（Ｓ４４）。
【００８８】
その後、通信ＢＯＸ１００に予め設定されているＦＡＸ受信した画像データを印刷するＭＦＰ３００を識別し（Ｓ４６）、この識別されたＭＦＰ３００に、ネットワーク制御部３１２を介して、上記画像データを送信する（Ｓ４７）。このＭＦＰ３００は、通信ＢＯＸ１００が、ＦＡＸ画像送信先の電話番号を認識できる場合、この認識された電話番号ごとに、印刷するＭＦＰ３００を変えるように制御するようにしてもよい。また、手動受信のように一度通信ＢＯＸ１００で受信した後に、特定のコードレス子機２００によって、印刷先となるＭＦＰ３００を指定するようにしてもよい。対象となるＭＦＰ３００において、受信した画像データを印刷する。
【００８９】
次に、実施例１において、通話（着信）の動作について説明する。
【００９０】
公衆回線７００より通話（着信）が要求されたときに（Ｓ４１〜Ｓ４２）、通信ＢＯＸ１００は、着信用のコードレス子機２００、または通信ＢＯＸ１００に接続することが可能な全てのコードレス子機２００を呼び出す（Ｓ４９）。これら呼び出されたコードレス子機２００の中の１つのコードレス子機２００において、ユーザがフックアップしたことを認識したら（Ｓ５０）、制御部１０１は、クロスポイントスイッチ部１０８を無線制御部１０９側に切り換える（Ｓ５１）。そして、通話状態へ移行する（Ｓ５３）。
【００９１】
この際に、通信ＢＯＸ１００は、上記フックアップされたコードレス子機２００が持つコードレス子機ＩＤを保存し、相手先番号を認識できる場合、その相手先番号も関連付けて保存する（Ｓ５２）。通話終了後に（Ｓ５４）、通信ＢＯＸ１００は、回線を切断し（Ｓ５５）、通信結果、通信日時、通話時間を、上記コードレス子機ＩＤに関連つけて保存し、待機状態へ移行する（Ｓ５６）。
【００９２】
次に、実施例１における通信管理レポートを作成する動作について説明する。
【００９３】
図９、図１０は、実施例１において、複数のコードレス子機２００の１つから、通信管理レポートの作成依頼が行われたときにおけるコードレス子機２００、通信ＢＯＸ１００の動作を示すフローチャートである。
【００９４】
ユーザは、複数のコードレス子機２００の中の１台のコードレス子機２００から、通信管理レポート出力モードメニュー（通信管理レポートを出力するモードにおいて各種設定を行うためのメニュー）を呼び出す（Ｓ６１）。複数のコードレス子機２００のうちで通信管理レポート情報を取得したいコードレス子機２００と、複数のＭＦＰ３００のうちで通信管理レポート情報を取得したいＭＦＰ３００とを設定する（Ｓ６２〜Ｓ６５）。その後に、通信管理レポートを出力（印刷）させるＭＦＰ３００を設定し（Ｓ６６）、通信ＢＯＸ１００に、上記設定の情報と、通信管理レポートの出力要求とを送信する（Ｓ６７）。上記設定は、全項目設定する必要はなく、たとえば、通信管理レポートの出力先として使用されるＭＦＰ３００を、通信ＢＯＸ１００に予め設定しておけば、Ｓ６６において出力先を設定する必要はない。
【００９５】
同様に、コードレス子機２００毎に、出力すべきＭＦＰ３００を予め設定しておけば（コードレス子機２００とＭＦＰ３００との関係を固定しておけば）Ｓ６６において出力先を設定する必要はない。
【００９６】
通信ＢＯＸ１００は、通信管理レポートの出力要求を受信したら（Ｓ７１）、通信管理レポートに記載するべきコードレス子機２００のコードレス子機ＩＤ、ＭＦＰ３００のＩＤを識別する（Ｓ７２〜Ｓ７３）。そして、上記処理において保存された履歴情報（Ｓ１３〜Ｓ１５、Ｓ２５、Ｓ２７〜Ｓ２８、Ｓ３３、Ｓ４４、Ｓ４６、Ｓ５２、Ｓ５６）から、上記コードレス子機ＩＤ、ＭＦＰのＩＤを持つ情報を、検索し（Ｓ７５）、抜き出す。
【００９７】
上記検索された情報を含むレポートデータを作成し（Ｓ７６）、バッファメモリ１０４に一時、格納し、Ｓ６６において設定された、もしくは予め設定された出力先であるＭＦＰ３００に、ネットワーク制御部３１２を介して、送信する（Ｓ７７〜Ｓ７８）。この送信の終了後に、通信ＢＯＸ１００は、待機状態に移行し（Ｓ７９）、上記ＭＦＰ３００は、印刷処理を実行する。
【００９８】
上記処理において、通信ＢＯＸ１００は、上記設定されたコードレス子機２００と、指定されたＭＦＰ３００に関係する全ての通信管理レポートとを記述したレポートデータを作成する。そして、コードレス子機２００、ＭＦＰ３００を指定する場合、コードレス子機２００、ＭＦＰ３００が複数であっても、上記と同様に処理する。コードレス子機２００のみ指定した場合は、コードレス子機２００に関係するすべてのＭＦＰ３００の通信管理レポートを出力するよう処理する。
【００９９】
また、複数のＭＦＰ３００が、出力先として設定されている場合、出力先として設定されている全てのＭＦＰ３００に、レポートデータを送信する。
【０１００】
実施例１によれば、ネットワーク上に複数のＭＦＰ３００、複数のコードレス子機２００が存在する場合でも、ユーザが必要とする通信管理レポートを得ることが可能であり、ユーザは、その通信管理レポートを容易に認識することができる。
【０１０１】
また、実施例１は、ネットワーク上に、入力先となる複数のＭＦＰ、出力先となる複数のＭＦＰ、操作手段となる複数のコードレス子機、通信管理と通信処理を行う通信機器が、ＬＡＮ等のインタフェースで互いに接続されているシステムである。このシステムで、通信管理レポートの出力要求を送信したコードレス子機のみについての通信管理レポートを出力するので、複数のコードレス子機のそれぞれを使用するユーザが異なる場合、コードレス子機を使用する各ユーザのプライバシーを守ることができる。
【０１０２】
通信ＢＯＸ１００を使用する全てのユーザの共有情報は、グローバル電話帳に登録され、このグローバル電話帳を、通信ＢＯＸ１００が管理している。また、全てのユーザの共有情報を、１つのレコードとして記憶するので、共有情報が複数のメモリに重複して登録されることを防止することができ、メモリ容量の無駄を防止することができる。
【０１０３】
また、複数のコードレス子機２００のうちの１つのコードレス子機２００を使用しているユーザが、他のコードレス子機２００を使用して、通信管理レポートを出力指示することもできる。この場合、上記他のコードレス子機２００に、自己のパスワードを入力し、このパスワードが通信ＢＯＸ１００で認証されると、上記閲覧が可能になる。
【実施例２】
【０１０４】
実施例２である通信システムＣＳ２は、通信ＢＯＸ１１００と、コードレス子機１２００−１、１２００−２と、ＭＦＰ１３００−１、１３００−２と、ルータ１４００と、ＰＣ１５００と、ネットワークケーブル１６００と、公衆回線１７００とを有する。
【０１０５】
また、通信システムＣＳ２、通信ＢＯＸ１１００、コードレス子機１２００−１、１２００−２は、それぞれ、通信システムＣＳ１、通信ＢＯＸ１００、コードレス子機２００−１、２００−２に対応し、基本的にはそれぞれ同じ構成である。ＭＦＰ１３００−１、１３００−２、ルータ１４００、ＰＣ１５００、ネットワークケーブル１６００、公衆回線１７００は、それぞれ、ＭＦＰ３００−１、３００−２、ルータ４００、ＰＣ５００、ネットワークケーブル６００、公衆回線７００に対応する。そして、基本的にはそれぞれ同じ構成であるので、その詳細な構成の説明を省略する。
【０１０６】
次に、実施例２における通信管理の動作について説明する。
【０１０７】
図１１〜図１４は、実施例２において、ファクシミリ送信、受信時における各装置の動作を示すフローチャートであり、また、コードレス子機１２００による通話時における各装置の動作を示すフローチャートである。
【０１０８】
まず、ファクシミリ受信の場合について説明する。
【０１０９】
公衆回線１７００から、ＦＡＸ受信を要求されると（Ｓ８１、Ｓ８２）、通信ＢＯＸ１１００は、ＩＴＵ−ＴのＴ．３０勧告で標準化されたファクシミリ通信手順に則って画像データを受信する（Ｓ８３）。この受信した画像データは、順次、バッファメモリ１１０４に蓄積され、受信が完了したら、回線を切断する。
【０１１０】
蓄積された画像データは、順次、符号復号化部１１０５に転送され、画像データの復号化処理後に、再度、バッファメモリ１１０４へ保存される（Ｓ８４）。その後に、通信ＢＯＸ１１００に予め設定されているＭＦＰ１３００であって、ＦＡＸ受信した画像データを印刷するＭＦＰ１３００を識別する。この識別されたＭＦＰ１３００に、ネットワーク制御部１３１２を介して、上記画像データを送信する（Ｓ８５〜Ｓ８６）。
【０１１１】
通信ＢＯＸ１１００が、ＦＡＸ画像送信先の電話番号を認識できる場合、その電話番号毎に、印刷するＭＦＰ１３００を変えるように制御するようにしてもよい。また、手動受信のように、一度通信ＢＯＸ１１００で受信した後に、特定のコードレス子機１２００が、印刷先となるＭＦＰ１３００を指定するようにしてもよい。この指定されたＭＦＰ１３００において、受信した画像データを印刷する。
【０１１２】
画像データを送信した後に、通信結果、通信日時、通信に要した時間も保存する。相手先番号が認識可能な場合は、上記相手先番号も含め、着信を通知すべきコードレス子機１２００のコードレス子機ＩＤや、印刷したＭＦＰ１３００のＩＤに関連付けて保存する（これらの情報を以降、「通信履歴情報」という）（Ｓ８８）。
【０１１３】
この際、通信ＢＯＸ１１００は、原稿の記録処理を実行したＭＦＰ１３００のシステム構成を認識し、この認識されたＭＦＰ１３００が、通信履歴情報を保存し、通信管理レポートを作成できるかどうかを判断する（Ｓ１４１〜Ｓ１４３）。通信管理レポートを作成できる場合、通信ＢＯＸ１１００は、ＭＦＰ１３００が通信管理レポートを作成するのに必要な情報を認識した後に、この認識された情報を、通信履歴情報から選別する。そして、ＭＦＰ１３００内の情報記憶手段であるＲＡＭ１３０３に保存させる（Ｓ１４４〜Ｓ１４７）。
【０１１４】
また、通信管理レポートを作成することができない場合、通信ＢＯＸ１１００の情報記憶手段であるＲＡＭ１１０３に、通信管理レポートを保存する（Ｓ１４８）。なお、着信時に原稿の記録処理を実行するＭＦＰ１３００を、以降、「データ保存ＭＦＰ」という。
【０１１５】
次に通話（着信）の場合について説明する。
【０１１６】
公衆回線１７００から、通話（着信）が要求されたときに（Ｓ８１〜Ｓ８２）、通信ＢＯＸ１１００は、着信用のコードレス子機１２００、または通信ＢＯＸ１１００に接続することができる全てのコードレス子機１２００を呼び出す（Ｓ８９）。これら呼び出された全てのコードレス子機２００の中の１つのコードレス子機において、ユーザがフックアップしたことを認識したら（Ｓ９０）、制御部１１０１は、クロスポイントスイッチ部１１０８を、無線制御部１１０９側に切り換える（Ｓ９１）。そして、通話状態へ移行する（Ｓ９３）。この際、通信ＢＯＸ１１００は、そのコードレス子機１２００が持つコードレス子機ＩＤを保存し、相手先番号を認識できる場合、その相手先番号も関連付けて保存する（Ｓ９２）。
【０１１７】
通話終了後に（Ｓ９４）、通信ＢＯＸ１１００は、回線を切断し（Ｓ９５）、通信結果、通信日時、通話時間を、上記コードレス子機ＩＤに関連つけて保存し、待機状態へ移行する（Ｓ９６）。この際、これらの情報（通信結果、通信日時、通話時間と、これらに関連つけられたコードレス子機ＩＤ）は、通信ＢＯＸ１１００の記憶装置であるＲＡＭ１１０３に保存される（Ｓ１４１〜Ｓ１４３、Ｓ１４８）。
【０１１８】
次に、ファクシミリ送信の動作について説明する。
【０１１９】
ユーザは、ファクシミリ送信のために、ＭＦＰ１３００の読取部１３０７の原稿台に送信原稿をセットし、コードレス子機１２００の操作部１２０８に設けられているダイヤルキーによって、送信相手先の番号を入力する（Ｓ１０１）。そして、送信キーを押下すると（Ｓ１０２）、コードレス子機１２００は、通信ＢＯＸ１１００に、入力された相手先番号情報と、ファクシミリ送信指示情報と、自身が保存するコードレス子機ＩＤとを送信する（Ｓ１０３）。
【０１２０】
通信ＢＯＸ１１００は、相手先番号情報とともにファクシミリ送信指示情報を受信すると（Ｓ１１１、Ｓ１１２）、相手先番号情報を、一旦バッファメモリ１１０４に記憶し（Ｓ１１３）、ＭＦＰ１３００のＩＤを保存する（Ｓ１１５）。ネットワーク制御部１３１２を通じて、このＭＦＰ１３００に、読み取り開始命令を送信する（Ｓ１１６）。
【０１２１】
この際、通信ＢＯＸ１１００は、上記情報の送信先であるコードレス子機１２００が持つコードレス子機ＩＤを、相手先番号情報と関連付けて保存する（Ｓ１１４）。
【０１２２】
ＭＦＰ１３００において、通信ＢＯＸ１１００から送られた読み取り開始命令を、ネットワーク制御部１３１２が受信すると、原稿の読み取りを行い、読み取った画像データを、順次バッファメモリ１３０４に蓄積する。バッファメモリ１３０４に蓄積した画像データを、ネットワーク制御部１３１２を介して、通信ＢＯＸ１１００に送る。この動作を、原稿の読み取り終了まで繰り返す。
【０１２３】
通信ＢＯＸ１１００は、ＭＦＰ１３００から送られた画像データを受信すると（Ｓ１１７）、順次、バッファメモリ１１０４に蓄積する。受信したデータをバッファメモリ１１０４に記憶した後に、順次、符号復号化部１１０５に転送し、画像データの符号化を行い（Ｓ１１８）、再度バッファメモリ１１０４に蓄積する。同時に、制御部１１０１は、クロスポイントスイッチ部１１０８を、モデム１１０７側に切り替え（Ｓ１１９）、バッファメモリに一時記憶した相手先番号情報を読み出し（Ｓ１２０）、通信制御部１１０６が公衆回線１７００に発呼する（Ｓ１２１）。
【０１２４】
相手側ファクシミリ装置が応答すると、バッファメモリ１１０４に蓄積した画像データを、モデム１１０７が変調し、ＩＴＵ−ＴのＴ．３０勧告で標準化されたファクシミリ通信手順に則って相手先に送信する（Ｓ１２２）。画像データの送信が全て終了すると（Ｓ１２３）、通信ＢＯＸ１１００は、公衆回線１７００との接続を切断する（Ｓ１２４）。
【０１２５】
そして、通信結果、通信日時、通信に要した時間を、上記コードレス子機ＩＤ、ＭＦＰのＩＤ、相手先番号情報と関連つけて保存し、待機状態に戻る（Ｓ１２５）。
【０１２６】
この際、通信ＢＯＸ１１００は、データ保存したＭＦＰ１３００のシステム構成を認識し、そのデータ保存ＭＦＰ１３００が、通信履歴情報を保存し、通信管理レポートを作成できるかどうかを判断する（Ｓ１４１〜Ｓ１４３）。ＭＦＰ１３００が通信管理レポートを作成できると判断された場合、通信ＢＯＸ１１００は、データ保存したＭＦＰ１３００が通信管理レポートを作成するのに必要な情報を認識する。その後に、それを通信履歴情報から選別し、データ保存したＭＦＰ１３００内の情報記憶手段であるＲＡＭ１３０３に保存させる（Ｓ１４４〜Ｓ１４７）。
【０１２７】
一方、ＭＦＰ１３００が通信管理レポートを作成できないと判断された場合、通信ＢＯＸ１１００の情報記憶手段であるＲＡＭ１１０３に保存する（Ｓ１４８）。
【０１２８】
次に、実施例２における通話（発信）の動作について説明する。
【０１２９】
通話（発信）する場合、コードレス子機１２００の操作部１２０８に設けられているダイヤルキーによって、相手先の番号を入力し（Ｓ１０１）、通話キーを押下する（Ｓ１０４）。通話キーが押下されると、コードレス子機１２００は、入力された相手先番号情報と、発呼指示情報と、自身が保持しているコードレス子機ＩＤとを、通信ＢＯＸ１１００に送信する（Ｓ１０５）。
【０１３０】
通信ＢＯＸ１１００は、相手先番号情報と発呼指示情報とを受信すると（Ｓ１１１、Ｓ１１２）、制御部１１０１は、クロスポイントスイッチ部１１０８を無線制御部１１０９側に切り替える（Ｓ１２６）。そして、コードレス子機１２００から受信した相手先番号を、通信制御部１１０６が発呼する（Ｓ１２９）。その際、通信ＢＯＸ１１００は、上記情報の送信先であるコードレス子機１２００が持つコードレスＩＤと、相手先番号情報とを関連付けて保存する（Ｓ１２７〜Ｓ１２８）。相手先が応答すると、クロスポイントスイッチ部１１０８と無線制御部１１０９とを介して、コードレス子機１２００による通話が可能になる（Ｓ１３０）。
【０１３１】
通話が終了し、コードレス子機１２００の切キーが押下されると（Ｓ１０７）、コードレス子機１２００から通信ＢＯＸ１１００に、切断指示情報が送信される（Ｓ１０８）。通信ＢＯＸ１１００は、コードレス子機１２００から切断指示情報を受信すると（Ｓ１３１）、公衆回線１７００との接続を切断する（Ｓ１３２）。そして、通信結果、通信日時、通信に要した時間を、上記コードレス子機ＩＤ、相手先番号情報に関連つけて保存し（Ｓ１３３）、待機状態に戻る。その際、これらの情報は、通信ＢＯＸ１１００の記憶装置であるＲＡＭ１１０３に保存される（Ｓ１４１〜Ｓ１４３、Ｓ１４８）。
【０１３２】
次に、実施例２において、通信管理レポートを作成する動作について説明する。
【０１３３】
図１５、図１６は、実施例２において、複数のコードレス子機１２００のうちの１つのコードレス子機１２００から、通信管理レポートの作成を依頼されたときに、コードレス子機１２００、通信ＢＯＸ１１００の動作を示すフローチャートである。
【０１３４】
なお、通信ＢＯＸ１１００に接続されているＭＦＰ１３００は、通信管理機能と通信管理レポート作成機能とを持つＭＦＰ１３００と、両機能を保持しないプリンタ１３００として記述する。
【０１３５】
ユーザは、複数のコードレス子機１２００の中の１台のコードレス子機１２００から、通信管理レポート出力モードメニューを呼び出す（Ｓ１５１）。そして、通信管理レポートを表示することを望むコードレス子機１２００、ＭＦＰ１３００（プリンタ１３００）を設定する（Ｓ１５２〜Ｓ１５５）。その後に、通信管理レポートを出力するＭＦＰ１３００（プリンタ１３００）を設定し（Ｓ１５６）、通信ＢＯＸ１１００に、これらの設定情報と出力要求とを送信する（Ｓ１５７）。
【０１３６】
これらの設定は、全項目設定する必要はなく、レポートの出力先として使用されるＭＦＰ１３００（プリンタ１３００）の設定を、通信ＢＯＸ１１００に、予め設けておけば、レポートの出力先として使用されるＭＦＰ１３００を設定する必要はない。これと同様に、コードレス子機１２００毎に、出力先となるＭＦＰ１３００（プリンタ１３００）を固定するように設定されていれば、レポートの出力先として使用されるＭＦＰ１３００を設定する必要はない。
【０１３７】
通信管理レポートの上記出力要求を、通信ＢＯＸ１１００が受信する（Ｓ１６１）。要求を発信したコードレス子機１２００のコードレス子機ＩＤ、通信管理レポートに記載するべきＭＦＰ１３００（プリンタ１３００）（以下、「レポート記載ＭＦＰ１３００」という）のＭＦＰのＩＤを識別する。また、それに対応するデータ保存ＭＦＰ１３００のＩＤと、出力先のＭＦＰ１３００（プリンタ１３００）（以下、「出力端末」という）のＭＦＰのＩＤを識別する（Ｓ１６２〜Ｓ１６４）。
【０１３８】
データ保存ＭＦＰ１３００と出力端末のＭＦＰのＩＤとが一致すると、まず、通信ＢＯＸ１１００は、自身の記憶手段であるＲＡＭ１１０３の内部の通信履歴情報を検索する。そして、上記のコードレス子機ＩＤと上記レポート記載ＭＦＰ１３００のＩＤとに関連付けられた通信履歴情報（以下、「ユーザ指定ＩＤリンク情報」という）が存在していないかどうかを検索する（Ｓ１６６）。上記出力端末が、通信履歴情報を保存し、通信管理レポートを作成するための手段を持っているかどうかを判別する（Ｓ１６７）。
【０１３９】
上記出力端末が、通信管理レポートの作成手段を持っていない場合（つまり、上記出力端末がプリンタ１３００である場合）には、通信ＢＯＸ１１００内で検索したユーザ指定ＩＤリンク情報のみを用い、通信管理レポートデータを作成する。そして、出力端末であるプリンタ１３００に、上記作成された通信管理レポートと印刷要求とを送信する（Ｓ１７２）。
【０１４０】
また、出力端末が通信管理レポートの作成手段を保持する。つまり、ＭＦＰ１３００であり、しかも、通信ＢＯＸ１１００内にユーザ指定ＩＤリンク情報が存在している場合、通信ＢＯＸ１１００は、上記コードレス子機ＩＤと、上記レポート記載ＭＦＰ１３００のＩＤと、ユーザ指定ＩＤリンク情報とを送出する。すなわち、要求先の端末内に保存されたそれらのＩＤに関連する通信履歴を用いた通信管理レポートデータの作成要求と印刷要求とを、出力端末であるＭＦＰ１３００に送出する（Ｓ１６８〜Ｓ１７０）。
【０１４１】
この場合、ＭＦＰ１３００が出力した通信管理レポートには、ＭＦＰ１３００に保存されていた上記コードレス子機ＩＤと上記レポート記載ＭＦＰ１３００のＩＤとに関連した通信履歴情報が記載される。また、ＭＦＰ１３００が出力した通信管理レポートには、通信ＢＯＸ１１００内に保存されていた上記コードレス子機ＩＤとレポート記載ＭＦＰ１３００のＩＤに関連する通信履歴情報とが記載される。
【０１４２】
一方、上記出力端末が、通信管理レポートの作成手段を保持している場合（つまりＭＦＰ１３００であり、しかも、通信ＢＯＸ１１００内にユーザ指定ＩＤリンク情報が存在していない場合）、通信ＢＯＸ１１００は、次のものを送出する。つまり、上記コードレス子機ＩＤと、レポート記載ＭＦＰ１３００のＩＤと、それらのＩＤに関連する通信履歴を用いた通信管理レポートデータの作成要求と、印刷要求とを、出力端末であるＭＦＰ１３００に送出する（Ｓ１６８、Ｓ１７０）。
【０１４３】
この場合、ＭＦＰ１３００から出力された通信管理レポートには、ＭＦＰ１３００に保存されている上記コードレス子機ＩＤと、レポート記載ＭＦＰ１３００のＩＤとに関連する通信履歴情報が記載される。
【０１４４】
また、データ保存ＭＦＰ１３００と出力端末のＭＦＰのＩＤとが一致しない場合、通信ＢＯＸ１１００は、自身の記憶手段であるＲＡＭ１１０３の内部の通信履歴情報を検索し、ユーザ指定ＩＤリンク情報が存在していないかどうかを検索する（Ｓ１７６）。そして、出力端末が通信履歴情報を保存し、通信管理レポートを作成する手段を持っているかどうかを判別する（Ｓ１７７）。
【０１４５】
出力端末が、通信管理レポートの作成手段を持っていない場合（プリンタ１３００である場合）、通信ＢＯＸ１１００が検索したユーザ指定ＩＤリンク情報のみを用い、通信管理レポートデータを作成する。そして、出力端末であるプリンタ１３００に、印刷要求とともに送信する（Ｓ１７１、Ｓ１７２）。
【０１４６】
また、出力端末が通信管理レポートの作成手段を保持する場合（つまりＭＦＰ１３００であり、しかも、通信ＢＯＸ１１００内にユーザ指定ＩＤリンク情報が存在している場合）、通信ＢＯＸ１１００は、次のものを送出する。つまり、上記コードレス子機ＩＤ、レポート記載ＭＦＰ１３００のＩＤ、ユーザ指定ＩＤリンク情報、それらのＩＤに関連する通信履歴を用いた通信管理レポートデータの作成要求とを送出する。また、作成されたデータを通信ＢＯＸ１１００に転送させるレポートデータ転送要求を送出する。この場合、通信ＢＯＸ１１００に転送させるレポートデータ転送要求を、データ保存ＭＦＰ１３００であるＭＦＰ１３００に送出する（Ｓ１７８〜Ｓ１８０）。
【０１４７】
転送された通信管理レポートデータを受信した通信ＢＯＸ１１００は、出力端末に対してそのデータと印刷要求とを送信する（Ｓ１８１、Ｓ１７２）。この場合、出力端末から出力された通信管理レポートには、ＭＦＰ１３００に保存されていた上記コードレス子機ＩＤと、レポート記載ＭＦＰ１３００のＩＤに関連した通信履歴情報とが記載される。また、出力端末から出力された通信管理レポートには、通信ＢＯＸ１１００内に保存されていた上記コードレス子機ＩＤと、レポート記載ＭＦＰ１３００のＩＤに関連した通信履歴情報とが記載される。
【０１４８】
一方、出力端末が通信管理レポートの作成手段を保持している場合（つまりＭＦＰ１３００であり、しかも、通信ＢＯＸ１１００内にユーザ指定ＩＤリンク情報が存在していない場合）、通信ＢＯＸ１１００は、次のように送出する。つまり、上記コードレス子機ＩＤ、レポート記載ＭＦＰ１３００のＩＤ、それらのＩＤに関連する通信履歴を用いた通信管理レポートデータの作成要求と、作成されたデータを通信ＢＯＸ１１００に転送させるレポートデータ転送要求とを送出する。この場合、データ保存ＭＦＰ１３００であるＭＦＰ１３００に送出する（Ｓ１７８、Ｓ１８０）。
【０１４９】
転送された通信管理レポートデータを受信した通信ＢＯＸ１１００は、出力端末に、そのデータと印刷要求とを送信する。この場合、ＭＦＰ１３００から出力された通信管理レポートには、ＭＦＰ１３００に保存されていた上記コードレス子機ＩＤ、レポート記載ＭＦＰ１３００のＩＤに関連した通信履歴情報が記載される。
【０１５０】
上記の処理を終了した後に、各出力端末において通信管理レポートが出力される。したがって、通信ＢＯＸ１１００は、出力端末からの印刷処理完了通知の受信待ち状態に移行し（Ｓ１７４）、受信したら、その結果を作成要求があったコードレス子機１２００に通知する（Ｓ１７５）。
【０１５１】
上記構成によって、ネットワーク上に複数のＭＦＰ１３００、プリンタ、スキャナ、複数のコードレス子機１２００が存在する場合でも、ユーザが必要とする通信管理レポートを得ることができ、ユーザは、その通信履歴を容易に認識することができる。
【実施例３】
【０１５２】
本発明の実施例３は、上記実施例の機能を実現するプログラムを、システムまたは装置に、直接または遠隔から供給し、そのシステムまたは装置が、供給されたプログラムコードを読み出して実行する実施例である。
【０１５３】
したがって、本発明の機能処理をコンピュータで実現するために、コンピュータにインストールされるプログラムコード自体も本発明の技術的範囲に含まれる。
【０１５４】
この場合、プログラムの機能を有していれば、オブジェクトコード、インタプリタによって実行されるプログラム、ＯＳに供給するスクリプトデータ等、プログラムの形態を問わない。
【０１５５】
プログラムを供給する記録媒体として、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカードがある。また、プログラムを供給する記録媒体として、ＲＯＭ、ＤＶＤ（ＤＶＤ−ＲＯＭ、ＤＶＤ−Ｒ）等がある。
【０１５６】
プログラムを供給する場合、クライアントコンピュータのブラウザを用いてインターネットのホームページに接続し、ホームページから本発明のコンピュータプログラムそのものをハードディスク等の記録媒体にダウンロードすることによって供給できる。また、圧縮され自動インストール機能を含むファイルを、ハードディスク等の記録媒体にダウンロードすることによっても、プログラムを供給できる。
【０１５７】
また、本発明のプログラムを構成するプログラムコードを複数のファイルに分割し、それぞれのファイルを異なるホームページからダウンロードすることによっても実現可能である。
【０１５８】
つまり、本発明の機能処理をコンピュータで実現するためのプログラムファイルを複数のユーザに対してダウンロードさせるＷＷＷサーバも、本発明のクレームに含まれるものである。
【０１５９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせるようにしてもよい。このようにすれば、その鍵情報を使用することによって暗号化されたプログラムを実行してコンピュータにインストールさせて実現することも可能である。
【０１６０】
また、コンピュータが、読み出したプログラムを実行することによって、上記実施例の機能が実現される他、そのプログラムの指示に基づいて、コンピュータ上で稼動しているＯＳなどが、実際の処理の一部または全部を行う。このようにすれば、その処理によっても上記実施例の機能が実現され得る。
【０１６１】
さらに、記録媒体から読み出されたプログラムが、コンピュータに挿入された機能拡張ボードやコンピュータに接続された機能拡張ユニットに備わるメモリに書き込まれた後に、そのプログラムの指示に基づいて実行するようにしてもよい。これによって、その機能拡張ボードや機能拡張ユニットに備わるＣＰＵなどが、実際の処理の一部または全部を行い、その処理によっても上記実施例の機能が実現される。
【図面の簡単な説明】
【０１６２】
【図１】本発明の実施例１である通信システムＣＳ１を示すブロック図である。
【図２】実施例１における通信ＢＯＸ１００を示すブロック図である。
【図３】実施例１におけるコードレス子機２００を示すブロック図である。
【図４】実施例１におけるＭＦＰ３００を示すブロック図である。
【図５】コードレス子機２００の外観を示す図である。
【図６】実施例１において、ファクシミリ送信、受信時、コードレス子機２００による通話時における各装置の動作を示すフローチャートである。
【図７】実施例１において、ファクシミリ送信、受信時、コードレス子機２００による通話時における各装置の動作を示すフローチャートである。
【図８】実施例１において、ファクシミリ送信、受信時、コードレス子機２００による通話時における各装置の動作を示すフローチャートである。
【図９】実施例１において、複数のコードレス子機２００の１つから、通信管理レポートの作成依頼が行われたときにおけるコードレス子機２００、通信ＢＯＸ１００の動作を示すフローチャートである。
【図１０】実施例１において、複数のコードレス子機２００の１つから、通信管理レポートの作成依頼が行われたときにおけるコードレス子機２００、通信ＢＯＸ１００の動作を示すフローチャートである。
【図１１】本発明の実施例２において、ファクシミリ送信、受信時における各装置の動作を示すフローチャートであり、また、コードレス子機１２００による通話時における各装置の動作を示すフローチャートである。
【図１２】実施例２において、ファクシミリ送信、受信時における各装置の動作を示すフローチャートであり、また、コードレス子機１２００による通話時における各装置の動作を示すフローチャートである。
【図１３】実施例２において、ファクシミリ送信、受信時における各装置の動作を示すフローチャートであり、また、コードレス子機１２００による通話時における各装置の動作を示すフローチャートである。
【図１４】実施例２において、ファクシミリ送信、受信時における各装置の動作を示すフローチャートであり、また、コードレス子機１２００による通話時における各装置の動作を示すフローチャートである。
【図１５】実施例２において、複数のコードレス子機１２００のうちの１つのコードレス子機１２００から、通信管理レポートの作成を依頼されたときに、コードレス子機１２００、通信ＢＯＸ１１００の動作を示すフローチャートである。
【図１６】実施例２において、複数のコードレス子機１２００のうちの１つのコードレス子機１２００から、通信管理レポートの作成を依頼されたときに、コードレス子機１２００、通信ＢＯＸ１１００の動作を示すフローチャートである。
【符号の説明】
【０１６３】
ＣＳ１、ＣＳ２…通信システム、
１００、１１００…通信ＢＯＸ、
２００、１２００…コードレス子機、
３００、１３００…ＭＦＰ。
【図１】
2007158501.tif 000003
【図２】
2007158501.tif 000004
【図３】
2007158501.tif 000005
【図４】
2007158501.tif 000006
【図５】
2007158501.tif 000007
【図６】
2007158501.tif 000008
【図７】
2007158501.tif 000009
【図８】
2007158501.tif 000010
【図９】
2007158501.tif 000011
【図１０】
2007158501.tif 000012
【図１１】
2007158501.tif 000013
【図１２】
2007158501.tif 000014
【図１３】
2007158501.tif 000015
【図１４】
2007158501.tif 000016
【図１５】
2007158501.tif 000017
【図１６】
2007158501.tif 000018